(57)【要約】【課題】腕や指が疲れることなく、鼻翼を圧迫して外鼻孔を塞ぎながら血管の冷却を可能する器具を提供することを課題とする。【解決手段】鼻出血止血具（Ｘ）として、両鼻翼を左右から押圧して外鼻孔を閉じる鼻翼狭持部（１０）と、前記鼻翼狭持部（１０）の前記鼻翼への接触部分を直接又は間接的に冷却する低温状態を一定時間維持可能な蓄冷体（Ａ）を保持する蓄冷体保持部（１１）とを設けたものであり、さらに、経過時間を通知するタイマー装置（２０）を備えることが望ましい。【選択図】  図１
2017113142.tif 000002
【特許請求の範囲】
【請求項１】
両鼻翼を左右から押圧して外鼻孔を閉じる鼻翼狭持部と、
前記鼻翼狭持部の前記鼻翼への接触部分を直接又は間接的に冷却する低温状態を一定時間維持可能な蓄冷体を保持する蓄冷体保持部と
を有する鼻出血止血具。
【請求項２】
経過時間を通知するタイマー装置を備える請求項１に記載の鼻出血止血具。
【請求項３】
前記鼻翼狭持部はバネにより押圧力を付加するものである請求項１又は２に記載の鼻出血止血具。
【請求項４】
前記鼻翼部分と後頭部を通るように頭部に周回して固定される帯状体からなる、前記鼻翼狭持部を後頭部側に押しつける固定補助部を有する
請求項１から３のいずれか１項に記載の鼻出血止血具。
【発明の詳細な説明】
【技術分野】
【０００１】
本発明は、鼻出血を止血するために使用する器具に関する。
【背景技術】
【０００２】
鼻出血が生じた際、多くの場合、ティッシュペーパー等を丸めたものを外鼻孔に詰めることが行われる。しかし、この方法によるとティッシュペーパー等が鼻の粘膜を傷つけたり、取り除く際に再出血を招く恐れもあるので望ましくない。
医学的には、鼻出血に際しては、鼻翼を左右から圧迫して外鼻孔を塞ぎ、この状態で５分から１０分程度安静にするのがよいとされている。
【発明の概要】
【発明が解決しようとする課題】
【０００３】
ところで、鼻出血に対しては冷却によって血管を収縮させることで、止血を促進することができることが知られているが、指で鼻翼を圧迫すると鼻を冷却することが困難になるという問題がある。また、５分から１０分鼻翼を指で摘み続けと腕や指が疲れてしまうという問題もある。
本発明は、このような問題を解決すべく、腕や指が疲れることなく、鼻翼を圧迫して外鼻孔を塞ぎながら血管の冷却を可能する器具を提供することを課題とする。
【課題を解決するための手段】
【０００４】
上記課題を解決するために、本発明は次のような構成を有する。
請求項１に記載の発明は、両鼻翼を左右から押圧して外鼻孔を閉じる鼻翼狭持部と、前記鼻翼狭持部の前記鼻翼への接触部分を直接又は間接的に冷却する低温状態を一定時間維持可能な蓄冷体を保持する蓄冷体保持部とを有する鼻出血止血具である。蓄冷体としては、水と高吸水性樹脂とを混合したものを袋に封入したいわゆる保冷剤や、金属や石からなる板体やブロック体、氷等が例示される。これらは予め冷凍庫等で冷却された状態で使用される。
請求項２に記載の発明は、前記鼻出血止血具において、経過時間を通知するタイマー装置を備えるものである。
請求項３に記載の発明は、前記鼻出血止血具において、前記鼻翼狭持部はバネにより押圧力を付加するものである。
請求項４に記載の発明は、前記鼻出血止血具において、前記鼻翼部分と後頭部を通るように頭部に周回して固定される帯状体からなり、前記鼻翼狭持部を後頭部側に押しつける固定補助部を有するものである。
【発明の効果】
【０００５】
以上のような構成により本発明は、次のような効果を奏する。
請求項１に記載の発明は、蓄冷体保持部に冷却した蓄冷体を保持させた状態で、鼻翼狭持部によって鼻の両鼻翼を左右から押圧して外鼻孔を閉じると、圧迫および血流停止によって止血でき、さらに、蓄冷体から鼻翼表面を介して鼻が冷却される結果、血管を収縮させて止血を促進することができる。また、鼻翼を狭持することで鼻に固定されるので、手を開放することができ、手や腕が疲れることもない。
請求項２に記載の発明は、タイマー装置を備えることで、止血に要する時間を時計などを見ずに測定できるので使用者の利便性を高めることができる。
請求項３に記載の発明は、押圧をバネの力で行うことで構造を簡易にすることができ、また、すばやく両鼻翼を押圧することができる。
請求項４に記載の発明は、固定補助部によって、鼻翼を狭持する鼻翼狭持部を後頭部側に押しつけることにより鼻翼狭持部が鼻から脱落しにくくなるとともに、鼻翼に対する押圧力を増大させることができる。
【図面の簡単な説明】
【０００６】
【図１】（ａ）は実施形態に係る鼻出血止血具の斜視図であり、（ｂ）は実施形態に係る鼻出血止血具の分解斜視図である。
【図２】実施形態に係る鼻出血止血具の使用状態を示す側面図である。
【図３】固定補助ベルトを示す斜視図である。
【図４】固定補助ベルトを使用した状態を示す平面図である。
【図５】（ａ）は変形例に係る鼻出血止血具の斜視図であり、（ｂ）は変形例に係る鼻出血止血具の分解斜視図である。
【発明を実施するための形態】
【０００７】
図１（ａ）に実施形態に係る鼻出血止血具Ｘの斜視図を示し、図１（ｂ）に鼻出血止血具Ｘの分解斜視図を示す。鼻出血止血具Ｘは、鼻翼狭持体１０と、タイマー装置２０とを有する。
鼻翼狭持体１０は、一般的な洗濯バサミと同じ構造を有するものであり、左右２つの部材からなりそれぞれの部材には後端側に突出するレバー１２と、先端側のＣ字状に湾曲したアーム１３とを有する。レバー１２とアーム１３との間には支点１４が設けられ、２つの部材は支点１４で互いに回動可能に連結している。そして、各アーム１３同士はＣリング状の線細工ばねからなる押圧ばね１５により互いに先端が近づくように付勢されている。また、鼻翼狭持体１０の先端部は、蓄冷体Ａを固定する蓄冷体保持部１１を構成する。図１（ｂ）に示すように蓄冷体の側面には直方体状の穴Ａ１が形成されており、蓄冷体保持部１１はこの穴Ａ１に嵌る大きさ及び形状に形成されている。なお、蓄冷体Ａは水と高分子吸水ポリマーと防腐剤を直方体状の袋に封入した、いわゆる保冷剤により構成されている。蓄冷体は保冷剤のほか、金属や石等、一定時間低音状態を保持できる固形物であれば種々のものを用いることができる。
タイマー装置２０は一般的なデジタルタイマーであり、ここでは一方の設定ボタンを押下すると３０秒ごとに表示面に時間が加算されて表示され、他方のスタートボタンを押すと表示された時間がカウントダウンすることで経過時間が表示され、時間がゼロになったときにアラームブザーが鳴るものが用いられている。タイマー装置２０は鼻翼狭持体１０の一方のアーム１３に表示面が斜め後方向を向くように固定されている。
【０００８】
次に、以上のような構成を有する鼻出血止血具Ｘの使用方法について説明する。なお、蓄冷体Ａは常に冷凍庫に保管しておくようにするものとする。鼻出血が生じたら、冷却しておいた蓄冷体Ａを鼻翼狭持体１０先端の蓄冷体保持部１１に保持させる。次に、タイマー装置２０の時間をセットし、スタートボタンを押す。その後、鼻翼狭持体１０後端のレバー１２を指で持って互いに近づくように押し縮めると、先端側のアーム１３が開くので、この状態で各蓄冷体Ａが鼻翼に適当に当接するように位置づけ、その後レバー１２を持つ力を緩めと、押圧ばね１５に付勢されて蓄冷体Ａ同士が近づいて各鼻翼を左右から押圧して外鼻孔が閉じた状態に保持される。図２に鼻出血止血具Ｘの鼻への装着状態を示す。この状態で、鼻腔先端近傍が圧迫されるとともに血が外鼻孔から流れなくなることで血小板の作用によって止血され、これと相まって、鼻は蓄冷体Ａによって冷却される結果、鼻の血管が縮小して血流が少なくなることで止血が促進されることとなる。タイマー装置２０の設定時間が経過するとタイマー装置２０のアラームブザーが鳴るので、その後、鼻翼狭持体１０後端のレバー１２を指で持って、アーム１３を開き、鼻出血止血具Ｘを鼻から取り外せば止血作業は完了する。
このように鼻出血止血具Ｘを用いれば、鼻の血管の冷却と圧迫による止血とを同時に行うことができ、また、手を離すことができるので手や腕が疲れることもない。さらに、タイマー装置２０が設けられていることで、時計を見て時間を計る必要が無く、手軽に止血する時間を測定することができる。
【０００９】
なお、上記実施形態において、鼻翼狭持体１０をよりしっかりと固定するための固定補助ベルトを用いることもできる。図３に固定補助ベルト３０の斜視図を示す。固定補助ベルト３０は、伸縮性のある繊維で編んだ頭部に巻きつけることができる長さを有する帯体により形成される。固定補助ベルト３０には、鼻翼狭持体１０のレバー１２の後端が通る穴３１と、タイマー装置２０の表示面が表出する穴３２が中央近傍に設けられ、一端側裏面に面ファスナーの係合部３３が固定されるとともに、他端側表面に面ファスナーの被係合部３４が固定される。図４に固定補助ベルト３０の使用状態を示す。図４は頭頂部側から見た頭部の平面図である。図に示すように固定補助ベルト３０は、両鼻翼を狭持している鼻翼狭持体１０のレバー１２の２つの後端を穴３１に通し、穴３２からタイマー装置２０の表示面が表出するようにして両端を後頭部に回し、引っ張りながら面ファスナーの係合部３３と面ファスナーの被係合部３４とを係合させることで頭部に固定する。このように固定補助ベルト３０を固定することで、鼻翼狭持体１０は後頭部側に押しつけられ、よりしっかりと固定されるとともに、鼻翼に対する押圧力も増加することとなる。
【００１０】
さらに、上記実施形態では、バネによって鼻翼狭持体１０の先端を閉じるようにしているが他の方法で閉じるようにしてもよい。例えば、図５（ａ）に示す鼻出血止血具Ｙのように、ネジ１６によってアーム１３を開閉できるようにしてもよい。ネジ１６は先端が軸回り及び鉛直軸回りに自在に回転できるようにアーム１３の一方に固定され、アーム１３の他方内部に鉛直軸回りに回転可能に固定されるナットに係合している。このほか、鼻翼狭持体１０全体をゴムで形成する等、先端を閉じて鼻翼を狭持する方法は適宜変更が可能である。
また、上記実施形態では、蓄冷体Ａを直接鼻翼に接触させて直接鼻翼表面を冷却しているが、蓄冷体Ａと鼻翼との間に熱伝導のよい金属などを挟んで間接的に鼻翼表面を冷却するようにしてもよい。例えば、図５（ｂ）に分解斜視図を示す鼻出血止血具Ｚのように、蓄冷体保持部１１を金属の有底の箱体として、この箱体に嵌る蓄冷体Ａを挿入固定すると、箱体の側面を介して蓄冷体Ａの冷たさが鼻翼表面に間接的に伝わるようになる。また、このような構成の蓄冷帯保持部１１の場合、氷を蓄冷体Ａとして用いることも可能となる。
さらに、上記実施形態では蓄冷体Ａは鼻翼狭持体１０の先端に着脱可能に蓄冷体保持部１１に保持しているが、分離できないように蓄冷体Ａを保持するようにしてもよい。この場合、蓄冷体Ａを冷やすためには、鼻出血止血具全体を冷凍庫に保管するようにすればよい。
【符号の説明】
【００１１】
Ｘ、Ｙ、Ｚ  鼻出血止血具
Ａ  蓄冷体
１０  鼻翼狭持体
１１  蓄冷体保持部
１２  レバー
１３  アーム
１５  押圧バネ
２０  アラーム装置
３０  固定補助ベルト
【図１】
2017113142.tif 000003
【図２】
2017113142.tif 000004
【図３】
2017113142.tif 000005
【図４】
2017113142.tif 000006
【図５】
2017113142.tif 000007